(57)【要約】【課題】本発明は、利用者が複数の場合でも、利用者により電源が投入されたときに、利用者の望むテレビ番組を受信して写し出すことが可能なテレビジョン受信機を提供することを目的とする。【解決手段】テレビジョン受像機１は、利用者が電源スイッチをＯＮしたときに、カメラ１４によって撮影された利用者の顔画像と一致する顔画像が記録された利用者情報を記憶部１５から抽出し、その利用者情報に関連付けられ、単位時間ごとに所定の受信チャンネルが記憶された集計表から、利用者が電源スイッチ２１をＯＮしたときの時間情報に基づいて受信チャンネルを選択して切り換える構成とされている。【選択図】図１
2007312048.tif 000002
【特許請求の範囲】
【請求項１】
複数の放送チャンネルを含む放送電波から１つの受信チャンネルを選択して受信するテレビジョン受像機において、
画像を撮影するためのカメラと、利用者を特定するための所定の画像が記録された利用者情報を記憶する記憶部と、装置各部への電力の供給または遮断を行うための電源スイッチと、別の受信チャンネルへの切り換えを受け付ける受信チャンネル変更手段と、前記受信チャンネル変更手段に受け付けられた受信チャンネルに切り換える受信チャンネル選択手段と、時間情報を供給する時計手段と、前記電源スイッチがオンされた際に、前記カメラによって撮影された利用者の画像と一致する画像を記録した利用者情報を前記記憶部から抽出する抽出手段と、前記抽出手段によって抽出された利用者情報に、該受信チャンネル変更手段に受け付けられた受信チャンネルとその受信チャンネルの受信時間からなる受信チャンネル履歴情報を記録する受信履歴作成手段と、該受信チャンネル履歴情報から単位時間帯ごとに所定の受信チャンネルが記録された集計表を作成し、前記抽出手段によって抽出された前記利用者情報に関連付けて該集計表を前記記憶部に記憶する集計表作成手段と、を有して成り、
前記受信チャンネル選択手段は、前記電源スイッチがオンされた際に、前記時計手段から時間情報を取得し、前記集計表から該時間情報に基づいて受信チャンネルを選択して切り換えることを特徴とするテレビジョン受像機。
【請求項２】
複数の放送チャンネルを含む放送電波から１つの受信チャンネルを選択して受信するテレビジョン受像機において、
画像を撮影するためのカメラと、装置各部へ電力の供給または遮断の切り換えを行うための電源スイッチと、利用者を特定するための所定の画像が記録された利用者情報、及び該利用者情報に関連付けられ、単位時間帯ごとに所定の受信チャンネルが記録された集計表を記憶する記憶部と、時間情報を供給する時計手段と、前記電源スイッチがオンされた際に、前記カメラによって撮影された利用者の画像と一致する画像を記録した利用者情報を前記記憶部から抽出する抽出手段と、前記電源スイッチがオンされた際に、前記時計手段から時間情報を取得し、該抽出手段によって抽出された利用者情報に関連付けられている集計表から該時間情報に基づいて受信チャンネルを選択する受信チャンネル選択手段と、該受信チャンネル選択手段によって選択された受信チャンネルに切り換える受信制御手段と、を有して成ることを特徴とするテレビジョン受像機。
【請求項３】
別の受信チャンネルへの切り換えを受け付け、その受け付けた受信ジャンネルへの切り換えを前記受信制御手段に実施させる受信変更手段と、前記抽出手段によって抽出された利用者情報に、該受信変更手段に受け付けられた受信チャンネルとその受信チャンネルの受信時間からなる受信チャンネル履歴情報を記録する受信履歴作成手段と、該受信チャンネル履歴情報から前記集計表を作成する集計表作成手段と、を有して成ることを特徴とする請求項２に記載のテレビジョン受像機。
【発明の詳細な説明】
【技術分野】
【０００１】
本発明は、テレビジョン放送を受信するテレビジョン受像機に関するものである。
【背景技術】
【０００２】
従来より、利用者が電源スイッチをＯＮすると、現在の時間帯と曜日をキーにして、メモリ内の受信されたチャンネルの頻度表を検索して所定頻度以上のチャンネルが見つかった場合には、そのチャンネルを受信する設定を行うテレビジョン受像機が開示・提案されている（例えば、特許文献１を参照）。
【特許文献１】特開平１１−２６６４０６号公報
【発明の開示】
【発明が解決しようとする課題】
【０００３】
確かに、従来のテレビジョン受像機であれば、利用者は、電源スイッチをＯＮした時に、頻度表に所定頻度以上のチャンネルが見つかった場合には、チャンネルを変更することなく、その時間帯に頻繁に見ているテレビ番組を視聴することが可能である。
【０００４】
しかしながら、従来のテレビジョン受信機では、利用者が複数の場合には、利用者が電源スイッチをＯＮした時に、頻度表に所定頻度以上のチャンネルが見つかったとしても、電源スイッチをＯＮした利用者を特定することができないため、電源スイッチをＯＮした利用者がその時間帯に頻繁に見ているテレビ番組を確実に受信して映し出すことができなかった。
【０００５】
本発明は、上記の課題に鑑み、利用者が複数の場合でも、利用者により電源が投入されたときに、利用者の望むテレビ番組を受信して写し出すことが可能なテレビジョン受信機を提供することを目的とする。
【課題を解決するための手段】
【０００６】
上記目的を達成するために、本発明に係るテレビジョン受像機は、複数の放送チャンネルを含む放送電波から１つの受信チャンネルを選択して受信するテレビジョン受像機であり、画像を撮影するためのカメラと、利用者を特定するための所定の画像が記録された利用者情報を記憶する記憶部と、装置各部への電力の供給または遮断を行うための電源スイッチと、別の受信チャンネルへの切り換えを受け付ける受信チャンネル変更手段と、前記受信チャンネル変更手段に受け付けられた受信チャンネルに切り換える受信チャンネル選択手段と、時間情報を供給する時計手段と、前記電源スイッチがオンされた際に、前記カメラによって撮影された利用者の画像と一致する画像を記録した利用者情報を前記記憶部から抽出する抽出手段と、前記抽出手段によって抽出された利用者情報に、該受信チャンネル変更手段に受け付けられた受信チャンネルとその受信チャンネルの受信時間からなる受信チャンネル履歴情報を記録する受信履歴作成手段と、該受信チャンネル履歴情報から単位時間帯ごとに所定の受信チャンネルが記録された集計表を作成し、前記抽出手段によって抽出された前記利用者情報に関連付けて該集計表を前記記憶部に記憶する集計表作成手段と、を有して成り、前記受信チャンネル選択手段は、前記電源スイッチがオンされた際に、前記時計手段から時間情報を取得し、前記集計表から該時間情報に基づいて受信チャンネルを選択して切り換える構成とされている。
【０００７】
このような構成とすることにより、利用者が複数の場合でも、利用者により電源が投入されたときに、利用者の望むテレビ番組を受信して写し出すことが可能となる。
【０００８】
本発明に係るテレビジョン受像機は、複数の放送チャンネルを含む放送電波から１つの受信チャンネルを選択して受信するテレビジョン受像機であり、画像を撮影するためのカメラと、装置各部へ電力の供給または遮断の切り換えを行うための電源スイッチと、利用者を特定するための所定の画像が記録された利用者情報、及び該利用者情報に関連付けられ、単位時間帯ごとに所定の受信チャンネルが記録された集計表を記憶する記憶部と、時間情報を供給する時計手段と、前記電源スイッチがオンされた際に、前記カメラによって撮影された利用者の画像と一致する画像を記録した利用者情報を前記記憶部から抽出する抽出手段と、前記電源スイッチがオンされた際に、前記時計手段から時間情報を取得し、該抽出手段によって抽出された利用者情報に関連付けられている集計表から該時間情報に基づいて受信チャンネルを選択する受信チャンネル選択手段と、該受信チャンネル選択手段によって選択された受信チャンネルに切り換える受信制御手段と、を有して成る構成とされている。
【０００９】
このような構成とすることにより、利用者が複数の場合でも、利用者により電源が投入されたときに、利用者の望むテレビ番組を受信して写し出すことが可能となる。
【００１０】
また、上記構成から成るテレビジョン受像機は、別の受信チャンネルへの切り換えを受け付け、その受け付けた受信ジャンネルへの切り換えを前記受信制御手段に実施させる受信変更手段と、前記抽出手段によって抽出された利用者情報に、該受信変更手段に受け付けられた受信チャンネルとその受信チャンネルの受信時間からなる受信チャンネル履歴情報を記録する受信履歴作成手段と、該受信チャンネル履歴情報から前記集計表を作成する集計表作成手段と、を有して成る構成とされている。
【００１１】
このような構成とすることにより、利用者が選択した受信チャンネルを集計した集計表を利用者ごとに作成することが可能となる。
【発明の効果】
【００１２】
上記したように、本発明に係るテレビジョン受像機であれば、利用者が複数の場合でも、利用者により電源が投入されたときに、利用者の望むテレビ番組を受信して写し出すことが可能となる。
【発明を実施するための最良の形態】
【００１３】
以下、本発明の実施形態について図面を参照し説明を行う。図１は、本発明に係るテレビジョン受像機の要部構成を示すブロック図であり、図２は、本発明に係るテレビジョン受像機の要部構造を模式的に示す斜視図である。両図に示すように、本実施形態のテレビジョン受像機１は、制御部１１と、アンテナ１２と、チューナ部１３と、カメラ１４と、記憶部１５と、時計１６と、表示部１７と、音声出力部１８と、リモートコントローラ受信部１９（以下、リモコン受信部１９と呼ぶ）と、操作部２０と、リモートコントローラ（不図示）と、を備えている。また、操作部２０は、電源スイッチ２１と、チャンネル選択キー２２と、登録キー２３と、入力キー２４と、を備えている。
【００１４】
制御部１１は、ＣＰＵ［Central Processing Unit］、各種制御プログラム等が格納されたＲＯＭ［Read Only Memory］、及びワーク領域として用いられるＲＡＭ［Random Access Memory］等から成り、装置全体の制御を行う。また、制御部１１は、チューナ部１２から入力された高周波信号からビデオ信号及び音声信号を生成して、それぞれ表示部１７や音声出力部１８に供給する。
【００１５】
なお、制御部１１は、電源スイッチ２１がＯＮされた際に、カメラ１４によって撮影された利用者の画像と一致する画像を記録した利用者情報を抽出する抽出手段、及び抽出手段によって抽出された利用者情報に、受信チャンネルとその受信チャンネルの受信時間からなる受信チャンネル履歴情報を記録する受信履歴作成手段などの役割を担っている。
【００１６】
アンテナ１２は、複数の放送チャンネルを含む放送電波を受信し高周波信号をチューナ部１３へ送出する。チューナ部１３は、制御部１１から指示される受信チャンネルに対応する高周波信号を抽出した後、制御部１１へ送出する。
【００１７】
カメラ１４は、ＣＣＤカメラ等から成り、電源スイッチ２１がＯＮされると、制御部１１の制御により電力が供給されて起動し、制御部１１の指示により表示部１７の前にいる利用者の画像を撮影して、その画像を制御部１１に送出する。
【００１８】
記憶部１５は、不揮発性のメモリやハードディスクドライブから成り、後述する利用者情報や集計表等が記憶される。また、記憶部１５には、テレビジョン受像機１の電源スイッチ２１がＯＦＦされたときの受信チャンネルが、制御部１１によって記憶される。
【００１９】
時計１６は、制御部１１に時間情報を供給する。また、表示部１７は、液晶表示ディスプレイ、プラズマディスプレイ及びブラウン管などから成り、制御部１１から入力されたビデオ信号を画像として表示する。
【００２０】
音声出力部１８は、スピーカから成り、制御部１１から入力された音声信号が音声に変換されて出力される。
【００２１】
電源スイッチ２１は、テレビジョン受像機１の電源をＯＮ／ＯＦＦするためのスイッチである。すなわち、電源スイッチ２１は、テレビジョン受像機１の各部へ電力の供給または遮断の切り換えを行うためのものである。チャンネル選択キー２２は、利用者によって選択されたチャンネルに対応する信号を制御部１１に入力するためのものである。
【００２２】
登録キー２３は、後述する利用者情報を登録する際に利用者により押下さるキーであり、その押下に対応する信号が制御部１１に入力される。また、入力キー２４は、各種設定入力を行うためのキーである。
【００２３】
また、リモコン受信部１９は、リモートコントローラ（不図示）から赤外線で送信される各種信号を受信して、その受信信号を制御部１１に入力する。なお、リモートコントローラ（不図示）は、前述の電源スイッチ２１、チャンネル選択キー２２、登録キー２３及び入力キー２４と同様な機能のスイッチやキーを各種備えている。
【００２４】
次に、上記構成から成るテレビジョン受像機１の特徴的動作である電源スイッチ２１がＯＮされた際のチャンネルの自動的な切り換え動作について以下に説明を行う。まず、本実施形態のテレビジョン受像機１における利用者情報の登録動作について以下に説明を行う。図３は、本実施形態のテレビジョン受像機１における利用者情報の登録動作を説明するためのフローチャートである。なお、本フローの開始時点では、テレビジョン受像機１の電源がＯＮ状態であることとする。
【００２５】
本実施形態のテレビジョン受像機１では、ステップＳ３−１で、テレビジョン受像機１の表示部１７の前にいる利用者によって、登録キー２３が押下されると（Ｓ３−１ＹＥＳ）、登録キー２３から制御部１１に登録信号が送信され、制御部１１にその登録信号が受け付けられる。そして、ステップＳ３−２で、制御部１１の指示により、カメラ１４から制御部１１に利用者の画像を含んだ画像が送出される。そして、制御部１１によって、その画像から利用者の顔画像が公知の方法（例えば、エッジ抽出等）で抽出される。なお、ステップＳ３−１で、利用者によって、登録キー２３が押下されない場合（Ｓ３−１ＮＯ）には、ステップＳ３−１に戻る。
【００２６】
続いて、ステップＳ３−３で、制御部１１によって、図４に示すように、利用者の顔画像２６が記録された利用者情報２５が作成されて表示部１７に表示される。
【００２７】
続いて、ステップＳ３−４で、受信チャンネルの集計を行う集計期間を設定するか否かの要求が、制御部１１によって、表示部１７に表示される。そして、利用者により入力キー２４が操作されて、集計期間の設定を行う旨が選択される場合には（Ｓ３−４ＹＥＳ）、ステップＳ３−５で、表示部１７に集計期間を入力するための画像が表示される。そして、集計期間を入力するために入力キー２４が利用者によって操作され、その操作に伴う信号が入力キー２４から制御部１１に入力される。そして、制御部１１によって、受信チャンネルの集計期間が受け付けられ、図４に示すように、利用者情報２５に受信チャンネルの集計期間情報２７が追加される。なお、ステップＳ３−４で、利用者により入力キー２４が操作されて、集計期間の設定を行わない旨が選択される場合には（Ｓ３−４ＮＯ）、ステップＳ３−１に戻り、現時点でのチャンネルのテレビ番組が表示部１７に写し出されるとともに、それに対応する音声が音声出力部１８から出力される。
【００２８】
続いて、ステップＳ３−６で、制御部１１によって、利用者の顔画像２６及び受信チャンネルの集計期間情報２７が記録された利用者情報２５が、記憶部１５に記憶され、利用者情報の登録が完了となる。なお、その後、現時点でのチャンネルのテレビ番組が表示部１７に写し出されるとともに、それに対応する音声が音声出力部１８から出力される。
【００２９】
次に、本実施形態のテレビジョン受像機１において、電源スイッチ２１がＯＮされた際のチャンネルの自動的な切り換え動作について以下に説明を行う。図５は、本実施形態のテレビジョン受像機１の電源スイッチ２１がＯＮされた際のチャンネルの自動的な切り換え動作を説明するためのフローチャートである。図６は、図５に示すフローチャートにおいて受信チャンネルの集計期間が完了した後のテレビジョン受像機１の動作を説明するためのフローチャートである。
【００３０】
本実施形態のテレビジョン受像機１では、ステップＳ５−１で、利用者によって電源スイッチ２１がＯＮとされると（Ｓ５−１ＹＥＳ）、ステップＳ５−２で、電源スイッチ２１から制御部１１に装置各部に電力を供給させるための電源ＯＮ信号が入力される。そして、制御部１１の制御によって、電源部（不図示）からテレビジョン受像機１の各部に電力が供給されてテレビジョン受像機１が起動する。なお、このとき、カメラ１４も起動している。また、ステップＳ５−１で、利用者によって電源スイッチ２１がＯＮされない場合には（Ｓ５−１ＮＯ）、ステップＳ５−１に戻る。
【００３１】
続いて、ステップＳ５−３で、制御部１１の指示により、カメラ１４により利用者の画像が撮影された後、カメラ１４から制御部１１に利用者の画像を含んだ画像が送出される。そして、制御部１１によって、その画像から利用者の顔画像が公知の方法（例えば、エッジ抽出等）で抽出される。
【００３２】
続いて、ステップＳ５−４で、制御部１１によって、ステップＳ５−３において得られた利用者の顔画像が、記憶部１５に記憶されている全ての利用者情報２５の顔画像２６と照合される。そして、ステップＳ５−３において得られた利用者の顔画像と一致する顔画像を記録した利用者情報２５が記憶部１５に登録済みであると、制御部１１よって判定される場合には（Ｓ５−４ＹＥＳ）、ステップＳ５−５に進む。
【００３３】
続いて、ステップＳ５−５で、ステップＳ５−３において得られた利用者の顔画像と一致する顔画像を記録した利用者情報２５が記憶部１５から抽出される。そして、制御部１１によって、時計１６から時間情報が取得されて日時が求められた後に、抽出した利用者情報２５の集計期間情報２７とその求められた日時が比較されて受信チャンネルの集計期間が完了しているか否か判定される。そして、制御部１１によって、受信チャンネルの集計期間が完了していないと判定される場合には（Ｓ５−５ＮＯ）、ステップＳ５−６で、制御部１１からチューナ部１３へ前回の電源ＯＦＦ時の受信チャンネルを抽出する指示が送出される。そして、チューナ部１３によって、前回の電源ＯＦＦ時の受信チャンネルに対応する高周波信号が抽出されて制御部１１に送出される。そして、制御部１１によって、受信した高周波信号からビデオ信号及び音声信号が生成され、それぞれ表示部１７や音声出力部１８に供給される。そして、表示部１７にその受信チャンネルに対応した放送番組の画像が映し出され、音声出力部１８からその放送番組の音声が出力される。
【００３４】
なお、ステップＳ５−５で、制御部１１によって、受信チャンネルの集計期間が完了いてると判定される場合には（Ｓ５−５ＹＥＳ）、後述するステップＳ５−１８で、受信チャンネルの集計期間が完了した後のテレビジョン受像機１の動作が実行される。
【００３５】
続いて、ステップＳ５−７で、制御部１１により、時計１６から時間情報が取得されて日時が求められた後に、現在の受信チャンネルの受信時間の計測が開始され、その計測の開始時間が一旦記憶される。
【００３６】
続いて、ステップＳ５−８で、チャンネル選択キー２２から送出された現在の受信チャンネルと異なる別の受信チャンネルに切り換えるための信号が、制御部１１によって受信される場合（Ｓ５−８ＹＥＳ）には、ステップＳ５−９で、制御部１１により、時計１６から時間情報が取得されて日時が求められた後に、現在の受信チャンネルの受信時間の計測が終了され、その計測の終了時間が一旦記憶される。
【００３７】
続いて、ステップＳ５−１０で、別の受信チャンネルへ切り換えるために、制御部１１からチューナ部１３へ別の受信チャンネルを抽出する指示信号が送出される。そして、チューナ部１３により別の受信チャンネルに対応する高周波信号が抽出されて制御部１１に送出される。その後、前述と同様に、表示部１７にそのチャンネルに対応した放送番組の画像が映し出され、音声出力部１８からその放送番組の音声が出力される。
【００３８】
続いて、ステップＳ５−１１で、図７に示すように、制御部１１によって、ステップＳ５−５において抽出された利用者情報２５に、受信時間が計測された受信チャンネル、及びその受信チャンネルの受信時間（日時及び曜日を含む）からなる受信チャンネル履歴情報２８が追加されて記憶部１５に記憶される。そして、ステップＳ５−７に戻る。
【００３９】
また、ステップＳ５−８で、チャンネル選択キー２２から送出された現在の受信チャンネルと異なる別の受信チャンネルに切り換えるための信号を制御部１１が受信しない場合（Ｓ５−８ＮＯ）には、更に、ステップＳ５−１２で、利用者によって電源スイッチ１１がＯＦＦされ、電源スイッチ１１から送出された電源をＯＦＦするための電源ＯＦＦ信号が制御部１１により受信される場合には（Ｓ５−１２ＹＥＳ）、ステップＳ５−１３に進む。そして、ステップS５−１３で、制御部１１により、時計１６から時間情報が取得されて日時が求められた後に、現在の受信チャンネルの受信時間の計測が終了され、その計測の終了時間が一旦記憶される。
【００４０】
続いて、ステップＳ５−１４で、制御部１１によって、ステップＳ５−５で抽出された利用者情報２５に、受信時間が計測された受信チャンネル、及びその受信チャンネルの受信時間（日時及び曜日を含む）からなる受信チャンネル履歴情報２８が追加されて記憶部１５に記憶される。
【００４１】
続いて、ステップＳ５−１５で、制御部１１により、テレビジョン受像機の電源がＯＦＦされ、本動作が完了となる。
【００４２】
また、前述のステップＳ５−４で、ステップＳ５−３において得られた利用者の顔画像と一致する顔画像を記録した利用者情報２５が記憶部１５に登録されていないと、制御部１１よって判定される場合には（Ｓ５−４ＮＯ）、ステップＳ５−１６で、制御部１１の制御により、前述したように前回の電源ＯＦＦ時の受信チャンネルに対応した放送番組の画像が表示部１７に映し出され、音声出力部１８からその放送番組の音声が出力される。
【００４３】
そして、ステップＳ５−１７で、利用者によってチャンネル選択キー２２が操作されることで、制御部１１によって、別の受信チャンネルに変更されるなどして利用者によって放送番組が視聴される。そして、利用者によって電源スイッチ２１がＯＦＦにされ、電源スイッチ１１から送出された電源をＯＦＦするための電源ＯＦＦ信号が制御部１１に受信される。そして、制御部１１によって、テレビジョン受像機１の電源がＯＦＦされ、本動作が完了となる。
【００４４】
次に、ステップＳ５−１８における受信チャンネルの集計期間が完了した後のテレビジョン受像機１の動作について図６を参照して以下に説明を行う。
【００４５】
本実施形態のテレビジョン受像機１では、ステップＳ６−１で、ステップＳ５−５において記憶部１５から抽出された利用者情報２５において、その受信チャンネル履歴情報２８が集計された集計表が、記憶部１５に利用者情報２５に関連付けられて記憶されているか否か、制御部１１によって、判定される。制御部１１によって、集計表が記憶部１５に記憶されていないと判定される場合には（Ｓ６−１ＮＯ）、ステップＳ６−２で、制御部１１により、利用者情報２５の受信チャンネル履歴情報２８から、単位時間帯ごとの各受信チャンネルの受信回数が集計される。なお、単位時間帯ごととは、一日２４時間を、例えば、１時間帯ごとに分けることである。
【００４６】
そして、ステップＳ６−３で、制御部１１によって、図８に示すように、単位時間帯ごとに最も受信回数の多い受信チャンネルが記録された集計表３０が作成され、ステップＳ５−５において記憶部１５から抽出された利用者情報２５に関連付けられて記憶される。なお、集計表は、テレビジョン受像機１の電源がＯＮであり、集計期間が完了したときに作成されてもよい。
【００４７】
また、ステップＳ６−１で、制御部１１によって、集計表が記憶部１５に記憶されていると判定される場合には（Ｓ６−１ＹＥＳ）、後述するステップＳ６−５に進む。
【００４８】
続いて、ステップＳ６−４で、制御部１１によって、時計１６から時間情報が取得される。そして、ステップＳ６−５で、その時間情報に基づいて制御部１１によって集計表３０から受信チャンネルが選択される。
【００４９】
続いて、ステップＳ６−６で、制御部１１からチューナ部１３へステップＳ６−５において選択された受信チャンネルを高周波信号から抽出する指示が送出される。そして、チューナ部１３によりその受信チャンネルに対応する高周波信号が抽出されて制御部１１に送出される。更に、制御部１１により、チューナ部１２から入力された高周波信号からビデオ信号及び音声信号が生成され、それぞれ表示部１７や音声出力部１８に供給される。そして、表示部１７にその受信チャンネルに対応した放送番組の画像が映し出され、音声出力部１８からその放送番組の音声が出力される。その後、利用者によってチャンネル選択キー２２が操作されることで、制御部１１によって別の受信チャンネルに変更されるなどして利用者によって放送番組が視聴される。
【００５０】
そして、ステップＳ６−７で、利用者によって電源スイッチ２１がＯＦＦにされ、電源スイッチ２１から送出された電源をＯＦＦするための電源ＯＦＦ信号が制御部１１に受信された後、制御部１１によって、テレビジョン受像機１の電源がＯＦＦされ、本動作が完了となる。
【００５１】
なお、利用者によって、リモートコントローラ（不図示）が用いられて上記と同様にテレビジョン受像機１の動作が実施されてもよい。
【００５２】
上記したように、本実施形態のテレビジョン受像機１であれば、利用者が電源スイッチをＯＮしたときに、カメラ１４によって撮影された利用者の画像を利用して抽出された利用者情報２５に関連付けられ、単位時間帯ごとに最も受信回数の多い受信チャンネルが記録されている集計表３０から、利用者が電源スイッチ２１をＯＮしたときの時間情報に基づいて受信チャンネルが選択されて切り換えられる構成であるため、利用者が複数の場合でも、利用者により電源が投入されたときに、利用者の望むテレビ番組を受信して写し出すこととなる。
【００５３】
なお、上記の実施形態では、単位時間帯ごとに最も受信回数の多いチャンネルを記録した集計表３０が作成される構成であるが、各曜日で単位時間帯ごとに最も受信回数の多いチャンネルを記録した集計表が作成されてもよく。この場合、電源スイッチ２１がＯＮされた際の時間情報から曜日と時間が求められ、その求められた曜日と時間に基づいてその集計表から受信チャンネルが選択されて切り換えられるとよい。
【００５４】
また、上記の実施形態では、利用者情報２５の受信チャンネル履歴情報２８から集計表３０が作成される構成であったが、利用者の画像と単位時間帯ごとに受信チャンネルが記録された利用者情報を利用者ごとに予め登録し、電源スイッチ２１をＯＮした際の時間情報に基づいてその利用者情報から受信チャンネルが選択されて切り換えられてもよい。
【００５５】
また、本発明の構成は、上記実施形態のほか、発明の主旨を逸脱しない範囲で種々の変更を加えることが可能である。
【産業上の利用可能性】
【００５６】
本発明は、液晶テレビ、プラズマディスプレイテレビ及びブラウン管テレビ等のテレビジョン受像機に幅広く適用することが可能である。
【図面の簡単な説明】
【００５７】
【図１】は、本発明に係るテレビジョン受像機の要部構成を示すブロック図である。
【図２】は、本発明に係るテレビジョン受像機の要部構造を模式的に示す斜視図である。
【図３】は、本実施形態のテレビジョン受像機１における利用者情報の登録動作を説明するためのフローチャートである。
【図４】は、利用者の顔画像と集計期間が記録された利用者情報の一例を示す図である。
【図５】は、本実施形態のテレビジョン受像機の電源スイッチがＯＮされた際のチャンネルの自動的な切り換え動作を説明するためのフローチャートである。
【図６】は、図５に示すフローチャートにおいて受信チャンネルの集計期間が完了した後のテレビジョン受像機の動作を説明するためのフローチャートである。
【図７】は、利用者の顔画像、集計期間及び受信チャンネル履歴情報が記録された利用者情報の一例を示す図である。
【図８】は、集計表の一例を示す図である。
【符号の説明】
【００５８】
１    テレビジョン受像機
１１    制御部
１２    アンテナ
１３    チューナ部
１４    カメラ
１５    記憶部
１６    時計
１７    表示部
１８    音声出力部
１９    リモートコントローラ受信部（リモコン受信部）
２０    操作部
２１    電源スイッチ
２２    チャンネル選択キー
２３    登録キー
２４    入力キー
２５    利用者情報
２６    顔画像
２７    集計期間情報
２８    受信チャンネル履歴情報
３０    集計表
【図１】
2007312048.tif 000003
【図２】
2007312048.tif 000004
【図３】
2007312048.tif 000005
【図４】
2007312048.tif 000006
【図５】
2007312048.tif 000007
【図６】
2007312048.tif 000008
【図７】
2007312048.tif 000009
【図８】
2007312048.tif 000010